(57)【要約】    水と、精油と、式（Ｉ）および式（ＩＩ）より選択される式を有するヒマシ油の誘導体と、式（ＩＩＩ）を有するエトキシル化フェノールと、洗浄界面活性剤とを含む水性洗浄配合物が提供される。  【選択図】なし【特許請求の範囲】
【請求項１】
水と、
１つの有機成分を５０〜１００重量％含む精油と、
式Ｉおよび式ＩＩ：
【化１】
2021517597.tif 000012
［式中、Ｒ１、Ｒ２、Ｒ３、Ｒ４、Ｒ５、Ｒ６、Ｒ７、Ｒ８、Ｒ９、Ｒ１０、Ｒ１１、およびＲ１２は、それぞれ独立して、−ＣＨ２ＣＨ２Ｏ−基、−ＣＨ２ＣＨ２ＣＨ２Ｏ−基、−ＣＨ２ＣＨ２ＣＨ２ＣＨ２Ｏ−基、−ＣＨ（ＣＨ３）ＣＨ２Ｏ−基、−ＣＨ２ＣＨ（ＣＨ３）Ｏ−基、−ＣＨ（ＣＨ３）ＣＨ２ＣＨ２Ｏ−基、−ＣＨ２ＣＨ（ＣＨ３）ＣＨ２Ｏ−基、および−ＣＨ２ＣＨ２ＣＨ（ＣＨ３）Ｏ−基、それぞれ−ＣＨ２ＣＨ２Ｏ−基から成る群より選択され、ａ、ｂ、ｃ、ｄ、ｅ、ｆ、ｇ、ｈ、ｉ、ｊ、ｋ、およびｍは、それぞれ独立して０〜２５０の数であり、ａ＋ｂ＋ｃ＋ｄ＋ｅ＋ｆの平均合計は１〜２５０であり、ｇ＋ｈ＋ｉ＋ｊ＋ｋ＋ｍの平均合計は１〜２５０である］より選択される式を有するヒマシ油の誘導体と、
式ＩＩＩ：
【化２】
2021517597.tif 000013
［式中、Ｔは平均３〜８である］を有するエトキシル化フェノールと、
洗浄界面活性剤とを含む、水性洗浄配合物。
【請求項２】
前記精油が、ラベンダー油、ローズマリー油、タイム油、Ｄ−リモネン、α−ピネン、およびそれらの混合物から成る群より選択される、請求項１に記載の水性洗浄配合物。
【請求項３】
前記水性洗浄配合物の重量を基準として０．１〜２０重量％のキレート剤をさらに含む、請求項１に記載の水性洗浄配合物。
【請求項４】
前記水性洗浄配合物の重量を基準として０．１〜１０重量％のヒドロトロープをさらに含む、請求項１に記載の水性洗浄配合物。
【請求項５】
前記水性洗浄配合物の重量を基準として０．０１〜１０重量％の有機溶媒をさらに含む、請求項１に記載の水性洗浄配合物。
【請求項６】
前記水性洗浄配合物の重量を基準として０．１〜１５重量％の、非イオン性界面活性剤を含む前記洗浄界面活性剤と、
前記水性洗浄配合物の重量を基準として０．１〜２０重量％のキレート剤と、
前記水性洗浄配合物の重量を基準として０．１〜１０重量％のヒドロトロープと、
前記水性洗浄配合物の重量を基準として０．０１〜１０重量％の有機溶媒とをさらに含む、請求項１に記載の水性洗浄配合物。
【請求項７】
前記精油が、ラベンダー油、ローズマリー油、およびタイム油から成る群より選択される、請求項６に記載の水性洗浄配合物。
【請求項８】
前記水性洗浄配合物が、
前記水性洗浄配合物の重量を基準として１０〜９９重量％の水と、
前記水性洗浄配合物の重量を基準として７．６〜１０重量％の、ラベンダー油である精油と、
前記水性洗浄配合物の重量を基準として０．０１〜２５重量％のヒマシ油の誘導体であって、Ｒ１、Ｒ２、Ｒ３、Ｒ４、Ｒ５、Ｒ６、Ｒ７、Ｒ８、Ｒ９、Ｒ１０、Ｒ１１、およびＲ１２が、それぞれ−ＣＨ２ＣＨ２Ｏ−基であり、ａ、ｂ、ｃ、ｄ、ｅ、ｆ、ｇ、ｈ、ｉ、ｊ、ｋ、およびｍが、それぞれ独立して０〜２５０の数であり、ａ＋ｂ＋ｃ＋ｄ＋ｅ＋ｆの平均合計が１〜２５０であり、ｇ＋ｈ＋ｉ＋ｊ＋ｋ＋ｍの平均合計が１〜２５０である、ヒマシ油の誘導体と、
前記水性洗浄配合物の重量を基準として０．０１〜３０重量％のエトキシル化フェノールであって、Ｔが平均３〜８である、エトキシル化フェノールと、
前記水性洗浄配合物の重量を基準として０．１〜１５重量％の、非イオン性界面活性剤を含む洗浄界面活性剤と、
前記水性洗浄配合物の重量を基準として０．１〜２０重量％のキレート剤と、
前記水性洗浄配合物の重量を基準として０．１〜１０重量％のヒドロトロープと、
前記水性洗浄配合物の重量を基準として０．０１〜１０重量％の有機溶媒とを含む、請求項７に記載の水性洗浄配合物。
【請求項９】
前記水性洗浄配合物が、
前記水性洗浄配合物の重量を基準として１０〜９９重量％の水と、
前記水性洗浄配合物の重量を基準として０．６１〜１重量％の、ローズマリー油である精油と、
前記水性洗浄配合物の重量を基準として０．０１〜２５重量％のヒマシ油の誘導体であって、Ｒ１、Ｒ２、Ｒ３、Ｒ４、Ｒ５、Ｒ６、Ｒ７、Ｒ８、Ｒ９、Ｒ１０、Ｒ１１、およびＲ１２が、それぞれ−ＣＨ２ＣＨ２Ｏ−基であり、ａ、ｂ、ｃ、ｄ、ｅ、ｆ、ｇ、ｈ、ｉ、ｊ、ｋ、およびｍが、それぞれ独立して０〜２５０の数であり、ａ＋ｂ＋ｃ＋ｄ＋ｅ＋ｆの平均合計が１〜２５０であり、ｇ＋ｈ＋ｉ＋ｊ＋ｋ＋ｍの平均合計が１〜２５０である、ヒマシ油の誘導体と、
前記水性洗浄配合物の重量を基準として０．０１〜３０重量％のエトキシル化フェノールであって、Ｔが平均３〜８である、エトキシル化フェノールと、
前記水性洗浄配合物の重量を基準として０．１〜１５重量％の、非イオン性界面活性剤を含む洗浄界面活性剤と、
前記水性洗浄配合物の重量を基準として０．１〜２０重量％のキレート剤と、
前記水性洗浄配合物の重量を基準として０．１〜１０重量％のヒドロトロープと、
前記水性洗浄配合物の重量を基準として０．０１〜１０重量％の有機溶媒とを含む、請求項７に記載の水性洗浄配合物。
【請求項１０】
前記水性洗浄配合物が、
前記水性洗浄配合物の重量を基準として１０〜９９重量％の水と、
前記水性洗浄配合物の重量を基準として５〜１０重量％の、タイム油である精油と、
前記水性洗浄配合物の重量を基準として０．０１〜２５重量％のヒマシ油の誘導体であって、Ｒ１、Ｒ２、Ｒ３、Ｒ４、Ｒ５、Ｒ６、Ｒ７、Ｒ８、Ｒ９、Ｒ１０、Ｒ１１、およびＲ１２が、それぞれ−ＣＨ２ＣＨ２Ｏ−基であり、ａ、ｂ、ｃ、ｄ、ｅ、ｆ、ｇ、ｈ、ｉ、ｊ、ｋ、およびｍが、それぞれ独立して０〜２５０の数であり、ａ＋ｂ＋ｃ＋ｄ＋ｅ＋ｆの平均合計が１〜２５０であり、ｇ＋ｈ＋ｉ＋ｊ＋ｋ＋ｍの平均合計が１〜２５０である、ヒマシ油の誘導体と、
前記水性洗浄配合物の重量を基準として０．０１〜３０重量％のエトキシル化フェノールであって、Ｔが平均３〜８である、エトキシル化フェノールと、
前記水性洗浄配合物の重量を基準として０．１〜１５重量％の、非イオン性界面活性剤を含む洗浄界面活性剤と、
前記水性洗浄配合物の重量を基準として０．１〜２０重量％のキレート剤と、
前記水性洗浄配合物の重量を基準として０．１〜１０重量％のヒドロトロープと、
前記水性洗浄配合物の重量を基準として０．０１〜１０重量％の有機溶媒とを含む、請求項７に記載の水性洗浄配合物。
【発明の詳細な説明】
【技術分野】
【０００１】
本発明は、水性洗浄配合物に関する。特に、本発明は、水と、ラベンダー油、ローズマリー油、タイム油およびそれらの混合物から成る群より選択される精油と、式Ｉおよび式ＩＩより選択される式を有するヒマシ油の誘導体と、式ＩＩＩを有するエトキシル化フェノールと、洗浄界面活性剤とを含む水性洗浄配合物に関する。
【０００２】
水性洗浄組成物、例えば、床ケア配合物、硬質表面洗浄配合物、およびパーソナルケア配合物には、幅広い用途がある。例えば、蓄積した汚れ、油、グリースおよび他の汚染物質を定期的に洗浄する必要のある、床、カウンター、壁、テーブルや、例えば木材、石材、ラミネート、セラミック、プラスチック材料製の他のもののような硬質表面を洗浄する使用である。
【０００３】
水性洗浄組成物は、一般的には、洗浄効果のための少なくとも１つの洗浄性界面活性剤を含む。水性洗浄組成物はまた、一般的に香料も含む。特定の精油ベースの香料は、そのような水性洗浄組成物に組み込むのに望ましいと思われる心地よい香りをもたらすが、それにもかかわらず、配合の観点からは許容することができないと判明している。具体的には、精油ベースの香料は主に疎水性であるため、これらの分子を界面活性剤を含む水性配合物に十分に溶解させることが困難である。溶解性が不十分な香料は、配合物を不安定にし、とりわけ、不所望な相分離を引き起こす可能性がある。
【０００４】
様々な従来の硬質表面洗浄配合物が開示されており、例えば、硬質表面洗浄のためのアルキルポリグリコシドを含有する硬質表面洗浄剤は、Ｆａｂｅｒにより米国特許第６，４８９，２８５号に開示されている。Ｆａｂｅｒは、（ｉ）（ａ）特定の非イオン性界面活性剤と第４級アンモニウム界面活性剤との組み合わせ、または（ｂ）特定の非イオン性界面活性剤とアニオン性界面活性剤との組み合わせ、（ｉｉ）水溶性グリコールエーテル、（ｉｉｉ）ビルダー、（ｉｖ）ｄ−リモネン、および（ｖ）水を含む希釈可能な非すすぎ硬質表面洗浄剤を開示している。
【０００５】
それにもかかわらず、効果的な水性洗浄配合物が、継続的に必要とされている。特に、洗浄作用、心地よい芳香、および配合安定性をもたらす効果的な水性洗浄配合物が必要とされている。
【０００６】
本発明により、水と、１つの有機成分を５０〜１００重量％含む精油と、式Ｉおよび式ＩＩ：
【化１】
2021517597.tif 000002
［式中、Ｒ１、Ｒ２、Ｒ３、Ｒ４、Ｒ５、Ｒ６、Ｒ７、Ｒ８、Ｒ９、Ｒ１０、Ｒ１１、およびＲ１２は、それぞれ独立して、−ＣＨ２ＣＨ２Ｏ−基、−ＣＨ２ＣＨ２ＣＨ２Ｏ−基、−ＣＨ２ＣＨ２ＣＨ２ＣＨ２Ｏ−基、−ＣＨ（ＣＨ３）ＣＨ２Ｏ−基、−ＣＨ２ＣＨ（ＣＨ３）Ｏ−基、−ＣＨ（ＣＨ３）ＣＨ２ＣＨ２Ｏ−基、−ＣＨ２ＣＨ（ＣＨ３）ＣＨ２Ｏ−基、および−ＣＨ２ＣＨ２ＣＨ（ＣＨ３）Ｏ−基、それぞれ−ＣＨ２ＣＨ２Ｏ−基から成る群より選択され、ａ、ｂ、ｃ、ｄ、ｅ、ｆ、ｇ、ｈ、ｉ、ｊ、ｋ、およびｍは、それぞれ独立して０〜２５０の数であり、ａ＋ｂ＋ｃ＋ｄ＋ｅ＋ｆの平均合計は１〜２５０であり、ｇ＋ｈ＋ｉ＋ｊ＋ｋ＋ｍの平均合計は１〜２５０である］より選択される式を有するヒマシ油の誘導体と、式ＩＩＩ：
【化２】
2021517597.tif 000003
［式中、Ｔは平均３〜８である］を有するエトキシル化フェノールと、洗浄界面活性剤とを含む水性洗浄配合物が提供される。
【０００７】
本発明により、水性洗浄配合物の重量を基準として１０〜９９重量％の水と、ラベンダー油、ローズマリー油、タイム油、ｄ−リモネン、α−ピネン、およびそれらの混合物から成る群より選択される精油と、水性洗浄配合物の重量を基準として０．０１〜２５重量％の、式Ｉおよび式ＩＩ［式中、Ｒ１、Ｒ２、Ｒ３、Ｒ４、Ｒ５、Ｒ６、Ｒ７、Ｒ８、Ｒ９、Ｒ１０、Ｒ１１、およびＲ１２は、それぞれ−ＣＨ２ＣＨ２Ｏ−基であり、ａ、ｂ、ｃ、ｄ、ｅ、ｆ、ｇ、ｈ、ｉ、ｊ、ｋ、およびｍは、それぞれ独立して０〜２５０の数であり、ａ＋ｂ＋ｃ＋ｄ＋ｅ＋ｆの平均合計は１〜２５０であり、ｇ＋ｈ＋ｉ＋ｊ＋ｋ＋ｍの平均合計は１〜２５０である］より選択される式を有するヒマシ油の誘導体と、水性洗浄配合物の重量を基準として０．０１〜３０重量％の、式ＩＩＩ［式中、Ｔは平均３〜８である］を有するエトキシル化フェノールと、水性洗浄配合物の重量を基準として０．１〜１５重量％の、非イオン性界面活性剤を含む洗浄界面活性剤と、水性洗浄配合物の重量を基準として０．１〜２０重量％のキレート剤と、水性洗浄配合物の重量を基準として０．１〜１０重量％のヒドロトロープと、水性洗浄配合物の重量を基準として０．０１〜１０重量％の有機溶媒とを含む水性洗浄配合物が提供される。
【０００８】
本発明により、水性洗浄配合物の重量を基準として１０〜９９重量％の水と、水性洗浄配合物の重量を基準として７．６〜１０重量％の、ラベンダー油である精油と、水性洗浄配合物の重量を基準として０．０１〜２５重量％の、式Ｉおよび式ＩＩ［式中、Ｒ１、Ｒ２、Ｒ３、Ｒ４、Ｒ５、Ｒ６、Ｒ７、Ｒ８、Ｒ９、Ｒ１０、Ｒ１１、およびＲ１２は、それぞれ−ＣＨ２ＣＨ２Ｏ−基であり、ａ、ｂ、ｃ、ｄ、ｅ、ｆ、ｇ、ｈ、ｉ、ｊ、ｋ、およびｍは、それぞれ独立して０〜２５０の数であり、ａ＋ｂ＋ｃ＋ｄ＋ｅ＋ｆの平均合計は１〜２５０であり、ｇ＋ｈ＋ｉ＋ｊ＋ｋ＋ｍの平均合計は１〜２５０である］より選択される式を有するヒマシ油の誘導体と、水性洗浄配合物の重量を基準として０．０１〜３０重量％の、式ＩＩＩ［式中、Ｔは平均３〜８である］を有するエトキシル化フェノールと、水性洗浄配合物の重量を基準として０．１〜１５重量％の、非イオン性界面活性剤を含む洗浄界面活性剤と、水性洗浄配合物の重量を基準として０．１〜２０重量％のキレート剤と、水性洗浄配合物の重量を基準として０．１〜１０重量％のヒドロトロープと、水性洗浄配合物の重量を基準として０．０１〜１０重量％の有機溶媒とを含む水性洗浄配合物が提供される。
【０００９】
本発明により、水性洗浄配合物の重量を基準として１０〜９９重量％の水と、水性洗浄配合物の重量を基準として０．６１〜１重量％の、ローズマリー油である精油と、水性洗浄配合物の重量を基準として０．０１〜２５重量％の、式Ｉおよび式ＩＩ［式中、Ｒ１、Ｒ２、Ｒ３、Ｒ４、Ｒ５、Ｒ６、Ｒ７、Ｒ８、Ｒ９、Ｒ１０、Ｒ１１、およびＲ１２は、それぞれ−ＣＨ２ＣＨ２Ｏ−基であり、ａ、ｂ、ｃ、ｄ、ｅ、ｆ、ｇ、ｈ、ｉ、ｊ、ｋ、およびｍは、それぞれ独立して０〜２５０の数であり、ａ＋ｂ＋ｃ＋ｄ＋ｅ＋ｆの平均合計は１〜２５０であり、ｇ＋ｈ＋ｉ＋ｊ＋ｋ＋ｍの平均合計は１〜２５０である］より選択される式を有するヒマシ油の誘導体と、水性洗浄配合物の重量を基準として０．０１〜３０重量％の、式ＩＩＩ［式中、Ｔは平均３〜８である］を有するエトキシル化フェノールと、水性洗浄配合物の重量を基準として０．１〜１５重量％の、非イオン性界面活性剤を含む洗浄界面活性剤と、水性洗浄配合物の重量を基準として０．１〜２０重量％のキレート剤と、水性洗浄配合物の重量を基準として０．１〜１０重量％のヒドロトロープと、水性洗浄配合物の重量を基準として０．０１〜１０重量％の有機溶媒とを含む水性洗浄配合物が提供される。
【００１０】
本発明により、水性洗浄配合物の重量を基準として１０〜９９重量％の水と、水性洗浄配合物の重量を基準として５〜１０重量％の、タイム油である精油と、水性洗浄配合物の重量を基準として０．０１〜２５重量％の、式Ｉおよび式ＩＩ［式中、Ｒ１、Ｒ２、Ｒ３、Ｒ４、Ｒ５、Ｒ６、Ｒ７、Ｒ８、Ｒ９、Ｒ１０、Ｒ１１、およびＲ１２は、それぞれ−ＣＨ２ＣＨ２Ｏ−基であり、ａ、ｂ、ｃ、ｄ、ｅ、ｆ、ｇ、ｈ、ｉ、ｊ、ｋ、およびｍは、それぞれ独立して０〜２５０の数であり、ａ＋ｂ＋ｃ＋ｄ＋ｅ＋ｆの平均合計は１〜２５０であり、ｇ＋ｈ＋ｉ＋ｊ＋ｋ＋ｍの平均合計は１〜２５０である］より選択される式を有するヒマシ油の誘導体と、水性洗浄配合物の重量を基準として０．０１〜３０重量％の、式ＩＩＩ［式中、Ｔは平均３〜８である］を有するエトキシル化フェノールと、水性洗浄配合物の重量を基準として０．１〜１５重量％の、非イオン性界面活性剤を含む洗浄界面活性剤と、水性洗浄配合物の重量を基準として０．１〜２０重量％のキレート剤と、水性洗浄配合物の重量を基準として０．１〜１０重量％のヒドロトロープと、水性洗浄配合物の重量を基準として０．０１〜１０重量％の有機溶媒とを含む水性洗浄配合物が提供される。
【発明を実施するための形態】
【００１１】
本発明の水性洗浄配合物は、洗浄作用および心地よい芳香をもたらし、水性洗浄配合物は、高い香料充填量で安定したままであり、香料は、他では安定的に組み込むことが難しい精油ベースの香料である。
【００１２】
別途示されない限り、比、パーセンテージ、部などは、重量による。組成物中の重量百分率（または重量％）は、乾燥重量の百分率であり、すなわち、組成物中に存在し得る一切の水を排除した百分率である。ポリマー中のモノマー単位のパーセンテージは、固形重量のパーセンテージであり、すなわち、ポリマー乳剤中に存在する一切の水を排除している。
【００１３】
本明細書で使用される場合、別途示されない限り、「重量平均分子量」および「Ｍｗ」という用語は、ゲル浸透クロマトグラフィー（ＧＰＣ）およびポリエチレングリコール標準物などの従来の標準物を用いた従来の手法で測定される重量平均分子量を指すように互換的に使用される。ＧＰＣ技法は、Ｍｏｄｅｍ  Ｓｉｚｅ  Ｅｘｃｌｕｓｉｏｎ  Ｃｈｒｏｍａｔｏｇｒａｐｈｙ，Ｗ．Ｗ．Ｙａｕ，Ｊ．Ｊ．Ｋｉｒｋｌａｎｄ，Ｄ．Ｄ．Ｂｌｙ；Ｗｉｌｅｙ−Ｉｎｔｅｒｓｃｉｅｎｃｅ，１９７９、およびＡ  Ｇｕｉｄｅ  ｔｏ  ＭａｔｅｒｉａｌｓＣｈａｒａｃｔｅｒｉｚａｔｉｏｎ  ａｎｄ  Ｃｈｅｍｉｃａｌ  Ａｎａｌｙｓｉｓ，Ｊ．Ｐ．Ｓｉｂｉｌｉａ；ＶＣＨ，１９８８，８１−８４頁に詳細に考察されている。重量平均分子量は、本明細書においてダルトンの単位で報告される。
【００１４】
好ましくは、本発明の水性洗浄配合物は、床ケア配合物、硬質表面洗浄配合物、およびパーソナルケア配合物から成る群より選択される。より好ましくは、本発明の水性洗浄配合物は、床ケア配合物および硬質表面洗浄配合物から成る群より選択される。最も好ましくは、本発明の水性洗浄配合物は床ケア配合物である。
【００１５】
好ましくは、本発明の水性洗浄配合物は、水（水性洗浄配合物の重量を基準として好ましくは１０〜９９重量％（より好ましくは２５〜９８重量％、最も好ましくは５０〜９７重量％）の水）と、１つの有機成分を５０〜１００重量％含む（好ましくは、精油はラベンダー油、ローズマリー油、タイム油、ｄ−リモネン、α−ピネン、およびそれらの混合物から成る群より選択される）精油（水性洗浄配合物の重量を基準として好ましくは０．５〜１０重量％の精油）と、式Ｉおよび式ＩＩ：
【化３】
2021517597.tif 000004
［式中、Ｒ１、Ｒ２、Ｒ３、Ｒ４、Ｒ５、Ｒ６、Ｒ７、Ｒ８、Ｒ９、Ｒ１０、Ｒ１１、およびＲ１２は、それぞれ独立して−ＣＨ２ＣＨ２Ｏ−基、−ＣＨ２ＣＨ２ＣＨ２Ｏ−基、−ＣＨ２ＣＨ２ＣＨ２ＣＨ２Ｏ−基、−ＣＨ（ＣＨ３）ＣＨ２Ｏ−基、−ＣＨ２ＣＨ（ＣＨ３）Ｏ−基、−ＣＨ（ＣＨ３）ＣＨ２ＣＨ２Ｏ−基、−ＣＨ２ＣＨ（ＣＨ３）ＣＨ２Ｏ−基、および−ＣＨ２ＣＨ２ＣＨ（ＣＨ３）Ｏ−基（好ましくは−ＣＨ２ＣＨ２Ｏ−基および−ＣＨ２ＣＨ２ＣＨ２Ｏ−基、より好ましくは−ＣＨ２ＣＨ２Ｏ−基）であり、ａ、ｂ、ｃ、ｄ、ｅ、ｆ、ｇ、ｈ、ｉ、ｊ、ｋ、およびｍは、それぞれ独立して０〜２５０の数であり、ａ＋ｂ＋ｃ＋ｄ＋ｅ＋ｆの平均合計は１〜２５０（好ましくは５〜２００、より好ましくは１５〜１００、最も好ましくは３０〜６０）であり、ｇ＋ｈ＋ｉ＋ｊ＋ｋ＋ｍの平均合計は１〜２５０（好ましくは５〜２００、より好ましくは１５〜１００、最も好ましくは３０〜６０）である］より選択される式を有するヒマシ油の誘導体（水性洗浄配合物の重量を基準として好ましくは０．０１〜２５重量％（より好ましくは０．０５〜１０重量％、さらにより好ましくは０．１〜５重量％、最も好ましくは１〜３重量％）のヒマシ油の誘導体）と、式ＩＩＩ：
【化４】
2021517597.tif 000005
［式中、Ｔは平均３〜８（好ましくは３．２５〜７．５、より好ましくは３．５〜７、さらにより好ましくは３．７５〜６．７５、最も好ましくは３．９〜６．５）である］を有するエトキシル化フェノール（水性洗浄配合物の重量を基準として好ましくは０．０１〜３０重量％（より好ましくは０．１〜２０重量％、さらにより好ましくは１〜１０重量％、最も好ましくは２．５〜７．５重量％）のエトキシル化フェノール）と、洗浄界面活性剤（水性洗浄配合物の重量を基準として好ましくは０．０１〜３０重量％（より好ましくは１〜２５重量％、さらにより好ましくは５〜２０重量％、最も好ましくは７．５〜１５重量％）の洗浄界面活性剤）とを含む。
【００１６】
好ましくは、本発明の水性洗浄配合物は、水性洗浄配合物の重量を基準として１０〜９９重量％（より好ましくは２５〜９８重量％、最も好ましくは５０〜９７重量％）の水を含む。好ましくは、本発明の水性洗浄配合物は、水性洗浄配合物の重量を基準として１０〜９９重量％（より好ましくは２５〜９８重量％、最も好ましくは５０〜９７重量％）の水を含み、水は、蒸留水、脱イオン水、および工業用軟水のうちの少なくとも１つである。より好ましくは、本発明の水性洗浄配合物は、水性洗浄配合物の重量を基準として１０〜９９重量％（より好ましくは２５〜９８重量％、最も好ましくは５０〜９７重量％）の水を含み、水は、蒸留および脱イオン化されている。最も好ましくは、本発明の水性洗浄配合物は、水性洗浄配合物の重量を基準として１０〜９９重量％（より好ましくは２５〜９８重量％、最も好ましくは５０〜９７重量％）の水を含み、不所望な金属イオンが水性洗浄配合物に導入されるのを回避するために、水は、蒸留および脱イオン化されており、工業的な軟らかさである。
【００１７】
好ましくは、本発明の水性洗浄配合物は、水性洗浄配合物の重量を基準として０．５〜１０重量％の精油を含み、精油は、１つの有機成分を５０〜１００重量％含む（好ましくは、精油は、ラベンダー油、ローズマリー油、タイム油、ｄ−リモネン、α−ピネン、およびそれらの混合物から成る群より選択される）。好ましくは、水性洗浄配合物に使用される精油は、ラベンダー油、ローズマリー油、タイム油、ｄ−リモネン、およびα−ピネンのうちの少なくとも１つを含む。好ましくは、本発明の水性洗浄配合物に使用される精油は、ラベンダー油を含む。好ましくは、本発明の水性洗浄配合物に使用される精油は、ローズマリー油を含む。好ましくは、本発明の水性洗浄配合物に使用される精油は、タイム油を含む。好ましくは、本発明の水性洗浄配合物に使用される精油は、ｄ−リモネンを含む。好ましくは、本発明の水性洗浄配合物に使用される精油は、α−ピネンを含む。より好ましくは、本発明の水性洗浄配合物に使用される精油は、ラベンダー油である。より好ましくは、本発明の水性洗浄配合物に使用される精油はローズマリー油である。より好ましくは、本発明の水性洗浄配合物に使用される精油は、タイム油である。好ましくは、本発明の水性洗浄配合物に使用される精油は、ｄ−リモネンである。好ましくは、本発明の水性洗浄配合物に使用される精油は、α−ピネンである。
【００１８】
好ましくは、本発明の水性洗浄配合物は、水性洗浄配合物の重量を基準として７．６〜１０重量％（より好ましくは７．７５〜１０重量％、最も好ましくは８〜１０重量％）の、ラベンダー油である精油を含む。好ましくは、ラベンダー油は、それぞれがラベンダー油の少なくとも１．０重量％を占める８つの有機成分を含み、ラベンダー油は、８つの有機成分のうちの１つ（すなわち、安息香酸ベンキシル）を５０〜６０重量％含む。
【００１９】
好ましくは、本発明の水性洗浄配合物に使用される精油は、水性洗浄配合物の重量を基準として０．６１〜１重量％（より好ましくは０．７〜０．８５重量％、最も好ましくは０．７５〜０．８重量％）の、ローズマリー油である精油を含む。好ましくは、ローズマリー油は、それぞれがローズマリー油の少なくとも１．０重量％を占める６つの有機成分を含み、ローズマリー油は、６つの有機成分のうちの１つ（すなわち、ジエチルヘキシルフタレート）を７０〜８０重量％含む。
【００２０】
好ましくは、本発明の水性洗浄配合物に使用される精油は、水性洗浄配合物の重量を基準として５〜１０重量％（より好ましくは６〜８重量％、最も好ましくは６．５〜７重量％）の、タイム油である精油を含む。好ましくは、タイム油は、それぞれがタイム油の少なくとも０．５重量％を占める４つの有機成分を含み、タイムは、８つの有機成分のうちの１つ（すなわち、チモール）を５５〜６５重量％含む。
【００２１】
好ましくは、本発明の水性洗浄配合物に使用される精油は、水性洗浄配合物の重量を基準として０．５〜１０重量％の、Ｄ−リモネンである精油を含む。好ましくは、Ｄ−リモネンは、少なくとも１つの有機成分を含み、Ｄ−リモネンは、少なくとも１つの有機成分（すなわち、ｄ−リモネン）を少なくとも９０重量％含む。
【００２２】
好ましくは、本発明の水性洗浄配合物に使用される精油は、水性洗浄配合物の重量を基準として０．５〜１０重量％の、α−ピネンである精油を含む。好ましくは、α−ピネンは、少なくとも１つの有機成分を含み、α−ピネンは、少なくとも１つの有機成分（すなわち、α−ピネン）を少なくとも９０重量％含む。
【００２３】
好ましくは、本発明の水性洗浄配合物は、水性洗浄配合物の重量を基準として０．０１〜２５重量％（より好ましくは０．０５〜１０重量％、さらにより好ましくは０．１〜５重量％、最も好ましくは１〜３重量％）の、式Ｉおよび式ＩＩ［式中、Ｒ１、Ｒ２、Ｒ３、Ｒ４、Ｒ５、Ｒ６、Ｒ７、Ｒ８、Ｒ９、Ｒ１０、Ｒ１１、およびＲ１２は、それぞれ独立して−ＣＨ２ＣＨ２Ｏ−基、−ＣＨ２ＣＨ２ＣＨ２Ｏ−基、−ＣＨ２ＣＨ２ＣＨ２ＣＨ２Ｏ−基、−ＣＨ（ＣＨ３）ＣＨ２Ｏ−基、−ＣＨ２ＣＨ（ＣＨ３）Ｏ−基、−ＣＨ（ＣＨ３）ＣＨ２ＣＨ２Ｏ−基、−ＣＨ２ＣＨ（ＣＨ３）ＣＨ２Ｏ−基、および−ＣＨ２ＣＨ２ＣＨ（ＣＨ３）Ｏ−基（好ましくは−ＣＨ２ＣＨ２Ｏ−基および−ＣＨ２ＣＨ２ＣＨ２Ｏ−基、より好ましくは−ＣＨ２ＣＨ２Ｏ−基）であり、ａ、ｂ、ｃ、ｄ、ｅ、ｆ、ｇ、ｈ、ｉ、ｊ、ｋ、およびｍは、それぞれ独立して０〜２５０の数であり、ａ＋ｂ＋ｃ＋ｄ＋ｅ＋ｆの平均合計は１〜２５０（好ましくは５〜２００、より好ましくは１５〜１００、最も好ましくは３０〜６０）であり、ｇ＋ｈ＋ｉ＋ｊ＋ｋ＋ｍの平均合計は１〜２５０（好ましくは５〜２００、より好ましくは１５〜１００、最も好ましくは２０〜６０）である］より選択される式を有するヒマシ油の誘導体を含む。
【００２４】
好ましくは、本発明の水性洗浄配合物は、水性洗浄配合物の重量を基準として０．０１〜２５重量％（より好ましくは０．０５〜１０重量％、さらにより好ましくは０．１〜５重量％、最も好ましくは１〜３重量％）の、式Ｉおよび式ＩＩより選択される式を有するヒマシ油の誘導体を含み、ヒマシ油の誘導体は、水添ヒマシ油のポリエチレングリコール誘導体、ヒマシ油のポリエチレングリコール誘導体、およびそれらのブレンドから成る群より選択される。より好ましくは、本発明の水性洗浄配合物は、水性洗浄配合物の重量を基準として０．０１〜２５重量％（より好ましくは０．０５〜１０重量％、さらにより好ましくは０．１〜５重量％、最も好ましくは１〜３重量％）の、式Ｉおよび式ＩＩより選択される式を有するヒマシ油の誘導体を含み、ヒマシ油の誘導体は、ＰＥＧ−５水添ヒマシ油、ＰＥＧ−５ヒマシ油、ＰＥＧ−７水添ヒマシ油、ＰＥＧ−７ヒマシ油、ＰＥＧ−１６水添ヒマシ油、ＰＥＧ−１６ヒマシ油、ＰＥＧ−２５水添ヒマシ油、ＰＥＧ−２５ヒマシ油、ＰＥＧ−３０水添ヒマシ油、ＰＥＧ−３０ヒマシ油、ＰＥＧ−４０水添ヒマシ油、ＰＥＧ−４０ヒマシ油、ＰＥＧ−６０水添ヒマシ油、ＰＥＧ−６０ヒマシ油、ＰＥＧ−１００水添ヒマシ油、ＰＥＧ−１００ヒマシ油、ＰＥＧ−２００水添ヒマシ油、ＰＥＧ−２００ヒマシ油、およびそれらのブレンドから成る群より選択される。さらにより好ましくは、本発明の水性洗浄配合物は、水性洗浄配合物の重量を基準として０．０１〜２５重量％（より好ましくは０．０５〜１０重量％、さらにより好ましくは０．１〜５重量％、最も好ましくは１〜３重量％）の、式Ｉおよび式ＩＩより選択される式を有するヒマシ油の誘導体を含み、ヒマシ油の誘導体は、ＰＥＧ−４０水添ヒマシ油、ＰＥＧ−２０ヒマシ油、およびそれらのブレンドから成る群より選択される。最も好ましくは、本発明の水性洗浄配合物は、水性洗浄配合物の重量を基準として０．０１〜２５重量％（より好ましくは０．０５〜１０重量％、さらにより好ましくは０．１〜５重量％、最も好ましくは１〜３重量％）の、式Ｉおよび式ＩＩより選択される式を有するヒマシ油の誘導体を含み、ヒマシ油の誘導体は、ＰＥＧ−４０水添ヒマシ油およびＰＥＧ−２０ヒマシ油から成る群より選択される。
【００２５】
好ましくは、本発明の水性洗浄配合物は、水性洗浄配合物の重量を基準として０．０１〜３０重量％（好ましくは０．１〜２０重量％、より好ましくは１〜１０重量％、最も好ましくは２．５〜７．５重量％）の、式ＩＩＩ：
【化５】
2021517597.tif 000006
［式中、Ｔは平均３〜８である］を有するエトキシル化フェノールを含む。より好ましくは、本発明の水性洗浄配合物は、水性洗浄配合物の重量を基準として０．０１〜３０重量％（好ましくは０．１〜２０重量％、より好ましくは１〜１０重量％、最も好ましくは２．５〜７．５重量％）の、式ＩＩＩ［式中、Ｔは平均３．２５〜７．５である］を有するエトキシル化フェノールを含む。さらにより好ましくは、本発明の水性洗浄配合物は、水性洗浄配合物の重量を基準として０．０１〜３０重量％（好ましくは０．１〜２０重量％、より好ましくは１〜１０重量％、最も好ましくは２．５〜７．５重量％）の、式ＩＩＩ［式中、Ｔは平均３．５〜７である］を有するエトキシル化フェノールを含む。なおもさらにより好ましくは、本発明の水性洗浄配合物は、水性洗浄配合物の重量を基準として０．０１〜３０重量％（好ましくは０．１〜２０重量％、より好ましくは１〜１０重量％、最も好ましくは２．５〜７．５重量％）の、式ＩＩＩ［式中、Ｔは平均３．７５〜６．７５である］を有するエトキシル化フェノールを含む。最も好ましくは、本発明の水性洗浄配合物は、水性洗浄配合物の重量を基準として０．０１〜３０重量％（好ましくは０．１〜２０重量％、より好ましくは１〜１０重量％、最も好ましくは２．５〜７．５重量％）の、式ＩＩＩ［式中、Ｔは平均３．９〜６．５である］を有するエトキシル化フェノールを含む。
【００２６】
好ましくは、本発明の水性洗浄配合物は、水性洗浄配合物の重量を基準として０．０１〜３０重量％（より好ましくは１〜２５重量％、さらにより好ましくは５〜２０重量％、最も好ましくは７．５〜１５重量％）の洗浄界面活性剤を含む。洗浄界面活性剤は、アニオン性界面活性剤、非イオン性界面活性剤、カチオン性界面活性剤、両性界面活性剤、およびそれらの混合物から成る群より選択される。
【００２７】
本発明の水性洗浄配合物に使用されるアニオン性界面活性剤としては、アルキルスルフェート、アルキルベンゼンスルフェート、アルキルベンゼンスルホン酸、アルキルベンゼンスルホネート、アルキルポリエトキシスルフェート、アルコキシル化アルコール、パラフィンスルホン酸、パラフィンスルホネート、オレフィンスルホン酸、オレフィンスルホネート、アルファ−スルホカルボキシレート、アルファ−スルホカルボキシレートのエステル、アルキルグリセリルエーテルスルホン酸、アルキルグリセリルエーテルスルホネート、脂肪酸のスルフェート、脂肪酸のスルホネート、脂肪酸エステルのスルホネート、アルキルフェノール、アルキルフェノールポリエトキシエーテルスルフェート、２−アクリルオキシ−アルカン−１−スルホン酸、２−アクリルオキシ−アルカン−１−スルホネート、ベータ−アルキルオキシアルカンスルホン酸、ベータ−アルキルオキシアルカンスルホネート、アミンオキシド、およびそれらの混合物が挙げられる。好ましいアニオン性界面活性剤としては、Ｃ８〜２０アルキルベンゼンスルフェート、Ｃ８〜２０アルキルベンゼンスルホン酸、Ｃ８〜２０アルキルベンゼンスルホネート、パラフィンスルホン酸、パラフィンスルホネート、アルファ−オレフィンスルホン酸、アルファ−オレフィンスルホネート、アルコキシル化アルコール、Ｃ８〜２０アルキルフェノール、アミンオキシド、脂肪酸のスルホネート、脂肪酸エステルのスルホネート、およびそれらの混合物が挙げられる。より好ましい洗浄界面活性剤としては、Ｃ１２〜１６アルキルベンゼンスルホン酸、Ｃ１２〜１６アルキルベンゼンスルホネート、Ｃ１２〜１８パラフィンスルホン酸、Ｃ１２〜１８パラフィンスルホネート、およびそれらの混合物が挙げられる。
【００２８】
好ましくは、本発明の水性洗浄配合物は、水性洗浄配合物の重量を基準として０〜３０重量％（より好ましくは０．１〜１５重量％、最も好ましくは０．５〜５重量％）のアニオン性界面活性剤を含む。より好ましくは、本発明の水性洗浄配合物は、水性洗浄配合物の重量を基準として０〜３０重量％（より好ましくは０．１〜１５重量％、最も好ましくは０．５〜５重量％）のアニオン性洗浄界面活性剤を含み、アニオン性界面活性剤としては、アルキルベンゼンスルホン酸およびアルキルベンゼンスルホネートのうちの少なくとも１つが挙げられる。さらにより好ましくは、本発明の水性洗浄配合物は、水性洗浄配合物の重量を基準として０〜３０重量％（より好ましくは０．１〜１５重量％、最も好ましくは０．５〜５重量％）のアニオン性洗浄界面活性剤を含み、アニオン性界面活性剤としては、Ｃ８〜２０アルキルベンゼンスルホン酸およびＣ８〜２０アルキルベンゼンスルホネートのうちの少なくとも１つが挙げられる。最も好ましくは、本発明の水性洗浄配合物は、水性洗浄配合物の重量を基準として０〜３０重量％（より好ましくは０．１〜１５重量％、最も好ましくは０．５〜５重量％）のアニオン性界面活性剤を含み、アニオン性界面活性剤としては、ドデシルベンゼンスルホン酸およびドデシルベンゼンスルホネートのうちの少なくとも１つが挙げられる。
【００２９】
本発明の水性洗浄配合物に使用される非イオン性界面活性剤としては、アルコキシレート（例えば、ポリグリコールエーテル、脂肪アルコールポリグリコールエーテル、アルキルフェノールポリグリコールエーテル、末端基キャップされたポリグリコールエーテル、混合エーテル、ヒドロキシ混合エーテル、脂肪酸ポリグリコールエステル、およびそれらの混合物が挙げられる。好ましい非イオン性界面活性剤としては、脂肪アルコールポリグリコールエーテルが挙げられる。より好ましい非イオン性界面活性剤としては、第２級アルコールエトキシレート、エトキシル化２−エチルヘキサノール、エトキシル化された種子油、ブタノールキャップされたエトキシル化２−エチルヘキサノール、およびそれらの混合物が挙げられる。最も好ましい非イオン性界面活性剤としては、第２級アルコールエトキシレートが挙げられる。
【００３０】
好ましくは、本発明の水性洗浄配合物は、水性洗浄配合物の重量を基準として０〜３０重量％（より好ましくは０．１〜１５重量％、最も好ましくは０．５〜１０重量％）の非イオン性界面活性剤を含む。より好ましくは、本発明の水性洗浄配合物は、水性洗浄配合物の重量を基準として０〜３０重量％（より好ましくは０．１〜１５重量％、最も好ましくは０．５〜１０重量％）の非イオン性界面活性剤を含み、非イオン性界面活性剤としては、アルコキシレートが挙げられる。さらにより好ましくは、本発明の水性洗浄配合物は、水性洗浄配合物の重量を基準として０〜３０重量％（より好ましくは０．１〜１５重量％、最も好ましくは０．５〜１０重量％）の非イオン性界面活性剤を含み、非イオン性界面活性剤としては、ポリグリコールエーテル、脂肪アルコールポリグリコールエーテル、アルキルフェノールポリグリコールエーテル、末端基キャップされたポリグリコールエーテル、混合エーテル、ヒドロキシ混合エーテル、および脂肪酸ポリグリコールエステルのうちの少なくとも１つが挙げられる。さらにより好ましくは、本発明の水性洗浄配合物は、水性洗浄配合物の重量を基準として０〜３０重量％（より好ましくは０．１〜１５重量％、最も好ましくは０．５〜１０重量％）の非イオン性界面活性剤を含み、非イオン性界面活性剤としては、脂肪アルコールポリグリコールエーテルが挙げられる。さらにより好ましくは、本発明の水性洗浄配合物は、水性洗浄配合物の重量を基準として０〜３０重量％（より好ましくは０．１〜１５重量％、最も好ましくは０．５〜１０重量％）の非イオン性界面活性剤を含み、非イオン性界面活性剤としては、第２級アルコールエトキシレート、エトキシル化２−エチルヘキサノール、エトキシル化された種子油、およびブタノールキャップされたエトキシル化２−エチルヘキサノールのうちの少なくとも１つが挙げられる。最も好ましくは、本発明の水性洗浄配合物は、水性洗浄配合物の重量を基準として０〜３０重量％（より好ましくは０．１〜１５重量％、最も好ましくは０．５〜１０重量％）の非イオン性界面活性剤を含み、非イオン性界面活性剤としては、第２級アルコールエトキシレートが挙げられる。
【００３１】
本発明の水性洗浄配合物に使用されるカチオン性界面活性剤としては、第４級表面活性化合物が挙げられる。好ましいカチオン性界面活性剤としては、アンモニウム基、スルホニウム基、ホスホニウム基、ヨードニウム基、およびアルソニウム基のうちの少なくとも１つを有する第４級表面活性化合物が挙げられる。より好ましいカチオン性界面活性剤としては、ジアルキルジメチルアンモニウムクロリドおよびアルキルジメチルベンジルアンモニウムクロリドのうちの少なくとも１つが挙げられる。さらにより好ましいカチオン性界面活性剤としては、Ｃ１６〜１８ジアルキルジメチルアンモニウムクロリド、Ｃ８〜１８アルキルジメチルベンジルアンモニウムクロリドジタロージメチルアンモニウムクロリド、およびジタロージメチルアンモニウムクロリドのうちの少なくとも１つが挙げられる。最も好ましいカチオン性界面活性剤としては、ジタロージメチルアンモニウムクロリドが挙げられる。
【００３２】
好ましくは、本発明の水性洗浄配合物は、水性洗浄配合物の重量を基準として０〜３０重量％（より好ましくは０．０１〜５重量％、最も好ましくは０．５〜１．５重量％）のカチオン性界面活性剤を含む。より好ましくは、本発明の水性洗浄配合物は、水性洗浄配合物の重量を基準として０〜３０重量％（より好ましくは０．０１〜５重量％、最も好ましくは０．５〜１．５重量％）のカチオン性界面活性剤を含み、カチオン性界面活性剤としては、アンモニウム基、スルホニウム基、ホスホニウム基、ヨードニウム基、およびアルソニウム基のうちの少なくとも１つを有する少なくとも１つの第４級表面活性化合物が挙げられる。さらにより好ましくは、本発明の水性洗浄配合物は、水性洗浄配合物の重量を基準として０〜３０重量％（より好ましくは０．０１〜５重量％、最も好ましくは０．５〜１．５重量％）のカチオン性界面活性剤を含み、カチオン性界面活性剤としては、ジアルキルジメチルアンモニウムクロリドおよびアルキルジメチルベンジルアンモニウムクロリドのうちの少なくとも１つが挙げられる。さらにより好ましくは、本発明の水性洗浄配合物は、水性洗浄配合物の重量を基準として０〜３０重量％（より好ましくは０．０１〜５重量％、最も好ましくは０．５〜１．５重量％）のカチオン性界面活性剤を含み、カチオン性界面活性剤としては、Ｃ１６〜１８ジアルキルジメチルアンモニウムクロリド、Ｃ８〜１８アルキルジメチルベンジルアンモニウムクロリドジタロージメチルアンモニウムクロリド、およびジタロージメチルアンモニウムクロリドのうちの少なくとも１つが挙げられる。最も好ましくは、本発明の水性洗浄配合物は、水性洗浄配合物の重量を基準として０〜３０重量％（より好ましくは０．０１〜５重量％、最も好ましくは０．５〜１．５重量％）のカチオン性界面活性剤を含み、カチオン性界面活性剤としては、ジタロージメチルアンモニウムクロリドが挙げられる。
【００３３】
本発明の水性洗浄配合物に使用される両性界面活性剤としては、ベタイン、アミンオキシド、アルキルアミドアルキルアミン、アルキル置換アミンオキシド、アシル化アミノ酸、脂肪族第４級アンモニウム化合物の誘導体、およびそれらの混合物が挙げられる。好ましい両性界面活性剤としては、脂肪族第４級アンモニウム化合物の誘導体が挙げられる。より好ましい両性界面活性剤としては、８〜１８個の炭素原子を有する長鎖基を有する脂肪族第４級アンモニウム化合物の誘導体が挙げられる。さらにより好ましい両性界面活性剤としては、Ｃ１２〜１４アルキルジメチルアミンオキシド、３−（Ｎ，Ｎ−ジメチル−Ｎ−ヘキサデシルアンモニオ）プロパン−１−スルホネート、３−（Ｎ，Ｎ−ジメチル−Ｎ−ヘキサデシルアンモニオ）−２−ヒドロキシプロパン−１−スルホネートが挙げられる。最も好ましい両性界面活性剤としては、Ｃ１２〜１４アルキルジメチルアミンオキシドのうちの少なくとも１つが挙げられる。
【００３４】
好ましくは、本発明の水性洗浄配合物は、水性洗浄配合物の重量を基準として０〜３０重量％（より好ましくは０．０１〜２０重量％、さらにより好ましくは０．１〜１０重量％、最も好ましくは１〜５重量％）の両性界面活性剤を含む。より好ましくは、本発明の水性洗浄配合物は、水性洗浄配合物の重量を基準として０〜３０重量％（より好ましくは０．０１〜２０重量％、さらにより好ましくは０．１〜１０重量％、最も好ましくは１〜５重量％）の両性界面活性剤を含み、両性界面活性剤としては、少なくとも１つのベタイン、アミンオキシド、アルキルアミドアルキルアミン、アルキル置換アミンオキシド、アシル化アミノ酸、および脂肪族第４級アンモニウム化合物の誘導体が挙げられる。さらにより好ましくは、本発明の水性洗浄配合物は、水性洗浄配合物の重量を基準として０〜３０重量％（より好ましくは０．０１〜２０重量％、さらにより好ましくは０．１〜１０重量％、最も好ましくは１〜５重量％）の両性界面活性剤を含み、両性界面活性剤としては、脂肪族第４級アンモニウム化合物の誘導体が挙げられる。さらにより好ましくは、本発明の水性洗浄配合物は、水性洗浄配合物の重量を基準として０〜３０重量％（より好ましくは０．０１〜２０重量％、さらにより好ましくは０．１〜１０重量％、最も好ましくは１〜５重量％）の両性界面活性剤を含み、両性界面活性剤としては、８〜１８個の炭素原子を有する長鎖基を有する脂肪族第４級アンモニウム化合物の誘導体が挙げられる。最も好ましくは、本発明の水性洗浄配合物は、水性洗浄配合物の重量を基準として０〜３０重量％（より好ましくは０．０１〜２０重量％、さらにより好ましくは０．１〜１０重量％、最も好ましくは１〜５重量％）の両性界面活性剤を含み、両性界面活性剤としては、Ｃ１２〜１４アルキルジメチルアミンオキシド、３−（Ｎ，Ｎ−ジメチル−Ｎ−ヘキサデシルアンモニオ）プロパン−１−スルホネート、および３−（Ｎ，Ｎ−ジメチル−Ｎ−ヘキサデシルアンモニオ）−２−ヒドロキシプロパン−１−スルホネートのうちの少なくとも１つが挙げられる。
【００３５】
好ましくは、本発明の水性洗浄配合物は、水性洗浄配合物の重量を基準として０〜２０重量％（好ましくは０．１〜２０重量％、より好ましくは０．５〜１０重量％、最も好ましくは１〜５重量％）のキレート剤をさらに含む。
【００３６】
好ましくは、本発明の水性洗浄配合物は、水性洗浄配合物の重量を基準として０〜２０重量％（好ましくは０．１〜２０重量％、より好ましくは０．５〜１０重量％、最も好ましくは１〜５重量％）のキレート剤をさらに含み、キレート剤は、エチレンジアミン四酢酸、エチレンジアミン三酢酸、エチレンジアミンテトラプロピオン酸、ジエチレントリアミン五酢酸、ニトリロ三酢酸、オキシジコハク酸、イミノジコハク酸、ベンゼンヘキサカルボン酸、ポリ（メタ）アクリル酸、ポリアクリル酸／ポリメタクリル酸コポリマー、ベンゼンポリカルボン酸、グルコン酸、スルファミン酸、シュウ酸、リン酸、ホスホン酸、有機ホスホン酸、酢酸、クエン酸、それらのナトリウム、カリウム、リチウム、アンモニウムおよび置換アンモニウム塩、ならびにそれらの混合物から成る群より選択される。
【００３７】
好ましくは、本発明の水性洗浄配合物は、水性洗浄配合物の重量を基準として０〜２０重量％（好ましくは０．１〜２０重量％、より好ましくは０．５〜１０重量％、最も好ましくは１〜５重量％）のキレート剤をさらに含み、キレート剤は、（３−ヒドロキシプロピル）イミノ二酢酸、（２−ヒドロキシプロピル）イミノ二酢酸、グリセリルイミノ二酢酸、ジヒドロキシイソプロピルイミノ二酢酸、メチルイミノ二酢酸、２−メトキシエチルイミノ二酢酸、アミドイミノ二酢酸、アセトアミドイミノ二酢酸、３−メトキシプロピルイミノ二酢酸、トリス（ヒドロキシメチル）メチルイミノ二酢酸、エチレンジアミン四酢酸、それらの塩（好ましくは、それらのナトリウム、カリウム、リチウム、アンモニウムおよび置換アンモニウム塩）、およびそれらの混合物から成る群より選択される。
【００３８】
好ましくは、本発明の水性洗浄配合物は、水性洗浄配合物の重量を基準として０〜２０重量％（好ましくは０．１〜２０重量％、より好ましくは０．５〜１０重量％、最も好ましくは１〜５重量％）のキレート剤をさらに含み、キレート剤としては、エチレンジアミン四酢酸四ナトリウムが挙げられる。より好ましくは、本発明の水性洗浄配合物は、水性洗浄配合物の重量を基準として０〜２０重量％（好ましくは０．１〜２０重量％、より好ましくは０．５〜１０重量％、最も好ましくは１〜５重量％）のキレート剤をさらに含み、キレート剤は、エチレンジアミン四酢酸四ナトリウムである。
【００３９】
好ましくは、本発明の水性洗浄配合物は、水性洗浄配合物の重量を基準として０〜１０重量％（好ましくは０．１〜１０重量％、より好ましくは０．５〜７．５重量％、最も好ましくは１〜５重量％）のヒドロトロープをさらに含む。より好ましくは、本発明の水性洗浄配合物は、水性洗浄配合物の重量を基準として０〜１０重量％（好ましくは０．１〜１０重量％、より好ましくは０．５〜７．５重量％、最も好ましくは１〜５重量％）のヒドロトロープをさらに含み、ヒドロトロープは、尿素、モノエタノールアミン、ジエタノールアミン、トリエタノールアミンと、キシレンスルホン酸、トルエンスルホン酸、エチルベンゼンスルホン酸およびクメンスルホン酸のカルシウム、ナトリウム、カリウム、アンモニウムおよびアルカノールアンモニウム塩と、それらの混合物とから成る群より選択される。さらにより好ましくは、本発明の水性洗浄配合物は、水性洗浄配合物の重量を基準として０〜１０重量％（好ましくは０．１〜１０重量％、より好ましくは０．５〜７．５重量％、最も好ましくは１〜５重量％）のヒドロトロープをさらに含み、ヒドロトロープは、トルエンスルホン酸ナトリウム、トルエンスルホン酸カリウム、キシレンスルホン酸ナトリウム、キシレンスルホン酸アンモニウム、キシレンスルホン酸カリウム、キシレンスルホン酸カルシウム、クメンスルホン酸ナトリウム、クメンスルホン酸アンモニウム、およびそれらの混合物から成る群より選択される。なおもさらにより好ましくは、本発明の水性洗浄配合物は、水性洗浄配合物の重量を基準として０〜１０重量％（好ましくは０．１〜１０重量％、より好ましくは０．５〜７．５重量％、最も好ましくは１〜５重量％）のヒドロトロープをさらに含み、ヒドロトロープとしては、キシレンスルホン酸ナトリウムが挙げられる。最も好ましくは、本発明の水性洗浄配合物は、水性洗浄配合物の重量を基準として０〜１０重量％（好ましくは０．１〜１０重量％、より好ましくは０．５〜７．５重量％、最も好ましくは１〜５重量％）のヒドロトロープをさらに含み、ヒドロトロープは、キシレンスルホン酸ナトリウムである。
【００４０】
好ましくは、本発明の水性洗浄配合物は、水性洗浄配合物の重量を基準として０〜１０重量％（好ましくは０．０１〜１０重量％、より好ましくは１〜８重量％、最も好ましくは２．５〜７．５重量％）の有機溶媒をさらに含む。好ましくは、本発明の水性洗浄配合物は、水性洗浄配合物の重量を基準として０〜１０重量％（好ましくは０．０１〜１０重量％、より好ましくは１〜８重量％、最も好ましくは２．５〜７．５重量％）の有機溶媒をさらに含み、有機溶媒は、水と混和性である。より好ましくは、本発明の水性洗浄配合物は、水性洗浄配合物の重量を基準として０．０１〜１０重量％（好ましくは、１〜８重量％、より好ましくは２．５〜７．５重量％）の有機溶媒をさらに含み、有機溶媒は、脂肪族アルコール（例えば、Ｃ１〜６アルカノール、Ｃ１〜６アルキルジオール）、モノアルキレングリコールエーテル（例えば、エチレングリコールプロピルエーテル、エチレングリコールｎ−ブチルエーテル、エチレングリコールｔ−ブチルエーテル、プロピレングリコールプロピルエーテル、プロピレングリコールｎ−ブチルエーテル、プロピレングリコールｔ−ブチルエーテル、プロピレングリコールメチルエーテルアセテート、プロピレングリコールジアセテート）、ポリアルキレングリコールエーテル（例えば、ジエチレングリコールエチルエーテル、ジエチレングリコールプロピルエーテル、ジエチレングリコールｎ−ブチルエーテル、ジエチレングリコールｔ−ブチルエーテル、ジエチレングリコールヘキシルエーテル、ジプロピレングリコールメチルエーテル、ジプロピレングリコールエチルエーテル、ジプロピレングリコールプロピルエーテル、ジプロピレングリコールｎ−ブチルエーテル、ジプロピレングリコールｔ−ブチルエーテル、ジプロピレングリコールフェニルエーテル、ジプロピレングリコールメチルエーテルアセテート、トリプロピレングリコールメチルエーテル、トリプロピレングリコールエチルエーテル、トリプロピレングリコールプロピルエーテル、トリプロピレングリコールｎ−ブチルエーテル、トリプロピレングリコールｔ−ブチルエーテル）、およびそれらの混合物から成る群より選択される。さらにより好ましくは、本発明の水性洗浄配合物は、水性洗浄配合物の重量を基準として０．０１〜１０重量％（好ましくは、１〜８重量％、より好ましくは２．５〜７．５重量％）の有機溶媒をさらに含み、有機溶媒は、イソプロパノール、エタノール、２−（２−ブトキシエトキシ）エタノール、エチレングリコールブチルエーテル、プロピレングリコールメチルエーテル、プロピレングリコールプロピルエーテル、プロピレングリコールｔ−ブチルエーテル、ジプロピレングリコールメチルエーテル、ジプロピレングリコールプロピルエーテル、ジプロピレングリコールｎ−ブチルエーテル、およびそれらの混合物から成る群より選択される。さらにより好ましくは、本発明の水性洗浄配合物は、水性洗浄配合物の重量を基準として０．０１〜１０重量％（好ましくは１〜８重量％、より好ましくは２．５〜７．５重量％）の有機溶媒をさらに含み、有機溶媒としては、ジプロピレングリコールメチルエーテルが挙げられる。最も好ましくは、本発明の水性洗浄配合物は、水性洗浄配合物の重量を基準として０．０１〜１０重量％（好ましくは１〜８重量％、より好ましくは２．５〜７．５重量％）の有機溶媒をさらに含み、有機溶媒は、ジプロピレングリコールメチルエーテルである。
【００４１】
好ましくは、本発明の水性洗浄配合物は、水性洗浄配合物の重量を基準として０〜５０重量％の添加剤をさらに含む。好ましくは、本発明の水性洗浄配合物は、水性洗浄配合物の重量を基準として０〜５０重量％の、塩、ビルダー、酵素、腐食防止剤、酸、漂白剤、研磨剤、およびそれらの混合物から成る群より選択される添加剤をさらに含む。
【００４２】
好ましくは、本発明の水性洗浄配合物は、水性洗浄配合物の重量を基準として０〜２０重量％（好ましくは０．１〜２０重量％、より好ましくは０．１〜１０重量％）の塩をさらに含む。より好ましくは、本発明の水性洗浄配合物は、水性洗浄配合物の重量を基準として０〜２０重量％（好ましくは０．１〜２０重量％、より好ましくは０．１〜１０重量％）の塩をさらに含み、塩は、アルカリ金属ハロゲン化物塩（例えば、塩化ナトリウム、塩化カリウム）、アンモニウム塩、硝酸塩、硫酸塩、亜硝酸塩、およびそれらの混合物から成る群より選択される。
【００４３】
好ましくは、本発明の水性洗浄配合物は、水性洗浄配合物の重量を基準として０〜５０重量％（好ましくは０．１〜３０重量％、より好ましくは０．１〜１５重量％）のビルダーをさらに含む。より好ましくは、本発明の水性洗浄配合物は、水性洗浄配合物の重量を基準として０〜２０重量％（好ましくは０．１〜２０重量％、より好ましくは０．１〜１０重量％）のビルダーをさらに含み、ビルダーは、無機ビルダー（例えば、トリポリホスフェート、ピロホスフェート）、アルカリ金属カーボネート、ボレート、ビカーボネート、水酸化物、ゼオライト、シトレート、ポリカルボキシレート、モノカルボキシレート、アミノトリスメチレンホスホン酸、アミノトリスメチレンホスホン酸の塩、ヒドロキシエタンジホスホン酸、ヒドロキシエタンジホスホン酸の塩、ジエチレントリアミンペンタ（メチレンホスホン酸）、ジエチレントリアミンペンタ（メチレンホスホン酸）の塩、エチレンジアミンテトラエチレンホスホン酸、エチレンジアミンテトラエチレンホスホン酸の塩、オリゴマーホスホネート、高分子ホスホネート、それらの混合物から成る群より選択される。
【００４４】
好ましくは、本発明の水性洗浄配合物は、水性洗浄配合物の重量を基準として０〜２０重量％（好ましくは０．１〜２０重量％、より好ましくは０．１〜１０重量％）の腐食防止剤をさらに含む。より好ましくは、本発明の水性洗浄配合物は、水性洗浄配合物の重量を基準として０〜２０重量％（好ましくは０．１〜２０重量％、より好ましくは０．１〜１０重量％）の腐食防止剤をさらに含み、腐食防止剤は、ケイ酸ナトリウム、二ケイ酸ナトリウム、メタケイ酸ナトリウム、およびそれらの混合物から成る群より選択される。
【００４５】
好ましくは、本発明の水性洗浄配合物は、水性洗浄配合物の重量を基準として０〜１０重量％（好ましくは１〜５重量％、より好ましくは２〜４重量％）の酸をさらに含む。より好ましくは、本発明の水性洗浄配合物は、水性洗浄配合物の重量を基準として０〜１０重量％（好ましくは１〜５重量％、より好ましくは２〜４重量％）の酸をさらに含み、酸は、有機カルボン酸およびそれらの塩（例えば、グルコン酸、乳酸、クエン酸、グリコール酸、酢酸、プロピオン酸、コハク酸、グルタル酸、アジピン酸、ブタン二酸、イソアスコルビン酸、アスコルビン酸、酒石酸などのＣ３〜９有機カルボン酸）から成る群より選択される。
【００４６】
好ましくは、本発明の水性洗浄配合物は、水性洗浄配合物の重量を基準として０〜１０重量％（好ましくは１〜５重量％、より好ましくは２〜４重量％）の漂白剤をさらに含む。より好ましくは、本発明の水性洗浄配合物は、水性洗浄配合物の重量を基準として０〜１０重量％（好ましくは１〜５重量％、より好ましくは２〜４重量％）の漂白剤をさらに含み、漂白剤は、過酸化水素および塩素生成物質（例えば、次亜塩素酸ナトリウム、クロロイソシアヌレート）から成る群より選択される。
【００４７】
好ましくは、本発明の水性洗浄配合物は、ｐＨ調整剤をさらに含む。好ましいｐＨ調整剤としては、水酸化ナトリウム、水酸化カリウム、炭酸ナトリウム、炭酸カリウム、モノエタノールアミン、トリエタノールアミン、アミノメチルプロパノール、アミノメチルプロパンジオール、およびトリメタミンが挙げられる。
【００４８】
好ましくは、本発明の水性洗浄組成物は、単一成分系として提供される（すなわち、多成分系とは対照的に材料の単一混合物として提供され、材料のうちのいくつかは、使用のために分配されるまで別々に維持される）。
【００４９】
好ましくは、本発明の表面を洗浄する方法は、除去すべき材料を含む表面を用意することと、本発明の水性洗浄配合物を用意することと、表面と水性洗浄配合物とを接触させ、それにより材料を表面から除去することとを含む。
【００５０】
本発明のいくつかの実施形態をこれより以下の実施例において詳細に説明する。
【００５１】
比較例Ｃ１〜Ｃ４および実施例１：硬質表面洗浄組成物
比較例Ｃ１〜Ｃ４および実施例１の硬質表面洗浄組成物を、表１に記載の重量比率で成分をまとめて混合することにより調製した。その後、濁りが観察されるまで、各組成物の１００ｇの試料にタイム油を滴定した。添加したタイム油の量を表１に報告する。
【表１】
2021517597.tif 000007
【００５２】
比較例Ｃ５〜Ｃ９および実施例２：硬質表面洗浄組成物
比較例Ｃ５〜Ｃ９および実施例２の硬質表面洗浄組成物を、表２に記載の重量比率で成分をまとめて混合することにより調製した。その後、濁りが観察されるまで、各組成物の１００ｇの試料にラベンダー油を滴定した。添加したラベンダー油の量を表２に報告する。
【表２】
2021517597.tif 000008
【００５３】
比較例Ｃ１０〜Ｃ１４および実施例３：硬質表面洗浄組成物
比較例Ｃ１０〜Ｃ１４および実施例３の硬質表面洗浄組成物を、表３に記載の重量比率で成分をまとめて混合することにより調製した。その後、濁りが観察されるまで、各組成物の１００ｇの試料にローズマリー油を滴定した。添加したローズマリー油の量を表３に報告する。
【表３】
2021517597.tif 000009
【００５４】
比較例Ｃ１５〜Ｃ１９および実施例４：硬質表面洗浄組成物
比較例Ｃ１５〜Ｃ１９および実施例４の硬質表面洗浄組成物を、表４に記載の重量比率で成分をまとめて混合することにより調製した。表４に報告されているように、０（透明）〜２５５（濁っている）のスケールの黒い背景に対して、Ｋｉｍｂｌｅ（商標）Ｔｉｔｅｓｅａｌ（商標）１ｍＬシェルバイアル内で、試料のグレースケール強度を介して、各組成物の濁度を測定した。
【表４】
2021517597.tif 000010
【００５５】
比較例Ｃ２０〜Ｃ２４および実施例５：硬質表面洗浄組成物
比較例Ｃ２０〜Ｃ２４および実施例５の硬質表面洗浄組成物を、表５に記載の重量比率で成分をまとめて混合することにより調製した。表５に報告されているように各組成物の濁度を測定した。表５に報告されているように、０（透明）〜２５５（濁っている）のスケールの黒い背景に対して、Ｋｉｍｂｌｅ（商標）Ｔｉｔｅｓｅａｌ（商標）１ｍＬシェルバイアル内で、試料のグレースケール強度を介して、各組成物の濁度を測定した。
【表５】
2021517597.tif 000011
【国際調査報告】
2021517597.tif 000014
2021517597.tif 000015